(57)【要約】      （修正有）【課題】小型ハウスの利用拡大小型ハウスを複数接合し、中・大型ハウスの製造建物の新設・増設・分離平面形の変更・移設・縮小・除去の簡素化狭く、変形な土地への対応。【解決手段】１枚の床パネルと、窓用・ドア用を含む６枚の壁パネル、６枚の屋根パネルを接合金物にて接合し組み立てる、平面形状が正六角形の小型組み立てハウスを複数接合し自由な平面形と中型ハウス、大型ハウスを作成するための、屋根パネル及び接合用屋根パネルの製作と接合構造。【選択図】図２
2005030112.tif 000002
【特許請求の範囲】
【請求項１】
１枚の床パネルと６枚の壁パネル・６枚の屋根パネルを、接合金物にて接合し組み立てる
、平面形状が正六角形の小型組み立てハウスを、ベースハウス用屋根パネルと２種類の
接合用屋根パネル使用して、水平部分を無くし、雨水の流れを止めずに、複数接合し自由
な平面形で中型ハウス、大型ハウスを作成する。
【請求項２】
１枚の床パネルと６枚の壁パネル,６枚の屋根パネルを、接合金物にて接合し組み立てる
、平面形状が正六角形の小型組み立てハウスを、複数接合し、自由な平面形と中型ハウ
ス、大型ハウスを作成するための、ベースハウス屋根パネル、接合用屋根パネルと接合
構造。
【発明の詳細な説明】
【技術分野】
【０００１】
小型ハウス、組み立てハウスに関する。
【背景技術】
【０００２】
現在の小型ハウス・組み立てハウス・プレハブハウスなどは、完成後の変更は不可能だった
り、可能でも可也の費用と制約が掛かる。平面形が正六角形のハウスが、ハニカム構造から
無駄なく複数接合出来る事は多くの人に理解され、アイデアとしてもあり、安定性、採光、平面
形などの利点が見出されています。しかし、パネル構造の組み立てハウスとした場合、接合部
分の屋根構造が解決されていない。
【特許文献１】特開平５−１１２９８７
【非特許文献１】特になし
【発明の開示】
【発明が解決しようとする課題】
【０００３】
小型ハウスの利用拡大
小型ハウスを複数接合し,中、大型ハウス製造
建物の新設・増設・分離・平面形の変更・移設・縮小・除去の簡素化
狭く変形な土地への対応
【課題を解決するための手段】
【０００４】
１枚の床パネルと、窓用・ドア用を含む６枚の壁パネル、６枚の屋根パネルを
接合金物にて接合し組み立てる、平面形状が正六角形の小型組み立てハウスを複数
接合し自由な平面形と中型ハウス、大型ハウスを作成するための、屋根パネル及び
接合用屋根パネルの製作と接合構造。
【発明の効果】
【０００５】
平面形が正六角形のハニカムハウスベースハウスと、接続用屋根パネルを組み合わせれ
ば、２列幅でさまざまな形に対応し、無限に接続が可能で、ベースハウスの周囲６面全部に
ベースハウスを接続したタイプも、条件により接続可能。接続した壁面を取り除き、限りなく
床面積を広げる事が可能で、壁面が短い距離で１２０度変化し建物本体も丈夫である。
【発明を実施するための最良の形態】
【０００６】
図１は１枚の床パネルと、６枚の壁パネルと６枚の屋根パネルを使用して組み立てられる、
平面形が正六角形の小型組み立てハウス（ハニカムハウスのベースハウス）を２ベース接合
と、それぞれのベース２面を接合したタイプの３ベース接合の平面図で、各屋根パネルの接
合図である。
【実施例】
【０００７】
正六角形は辺と辺を接合する事により無限に接合出来、接合部分の壁を除きカバー材
で始末をすれば、ベースハウスの等倍の室内空間が得られる。
他に正三角形や正方形でも可能だが、正三角形は建物の平面形には不向き、正方形は複
数接続した場合、接続角度が９０度か１８０度しかなく平面形が乏しく、壁が直線になりやすく、
強度に問題が出てくる。正六角形は室内空間も理想的で、短い距離で壁も１２０度の変化を
するため、強度の心配も無い。
【０００８】
図２は１枚の床パネルと、６枚の窓用・ドア用を含んだ壁パネルと６枚の屋根パネルを接合
金物を使用して組み立てられる、ハニカムハウスのベースハウスの組立図です。
【０００９】
図２はベースハウス用屋根パネルＡで、壁パネルとの接合ラインより先の軒先部分が、接合
ラインを基準に６０度に切り落とされ、ベースハウス接合の際ぶつからない様になっている
ベースハウスを複数接合した場合、ベースハウス用屋根パネルＡを軒部分を除いた状態で
行うと、接続部分の屋根に水平部分が出来、雨水の流れを止めてしまい、雨漏りの原因とな
る。そこで２種類の接続用屋根パネルを製作し、雨水の流れを止めず、複数のベースハウス
の接続に対応した。
【００１０】
図３ハニカムハウス接続用屋根パネルＢはベースハウスを複数接続された場合、接続された
面の隣りの壁面が、接続の無い場合に使用される。接合面cはベースハウス外周の一辺の中
心からベースハウスの中心までの距離の２倍であり、接合の際は同じ接合用屋根パネルＢの
接合面c、あるいは接続用屋根パネルＣの接合面eと接合される。また、接合面bはベースハウ
ス用屋根パネルＡの接合面aに等しく、組み立ての際は接合面bと、屋根パネルAの接合面aが
接合される。組み立て完成後の屋根傾斜は、接合面ｃを上部にベースハウス屋根傾斜の２倍
となる。
【００１１】
図４ハニカムハウス接続用屋根パネルＣは、ベースハウスが複数接続され、接続される面が
隣り合わせて２面以上接続されている場合に、ベースハウス屋根パネルＡ・接続用屋根パネル
Ｂと併用して使用される。接合面dはベースハウス用屋根パネルの接合面aに等しく、接合面e
は接続用屋根パネルＢの接合面cに等しい、組み立ての際は常に接合面dは屋根パネルＡの
接合面aと接合され、接合面eは接合用屋根パネルＢの接合面c、または接続用屋根パネルＣ
の接合面eと接合される。また、接合面fは常に接合面f同士が接合され、接合面ｆの屋根傾斜
は、ベースハウス屋根パネルＡの接合面aの傾斜の２分の１となる。また、接合面eを上部とした
屋根パネルＣの組み立て完成後の屋根傾斜はベースハウス屋根傾斜と同じとなる。
【００１２】
以上の様にベースハウスを複数接合の際、接続用屋根パネルＢ・Ｃを併用する事により、常に
屋根傾斜を取る事が出来、雨水の流れを止めずに屋根を組み上げることが出来る。
図５．６はさまざまなベースハウスの接続例に対してのベースハウス用屋根パネルＡ、接続用
屋根パネルＢ、接続用屋根パネルＣの使用例の極一部を示した平面図である。
【産業上の利用可能性】
【００１３】
増設・分離・平面形の変更・移設・縮小・除去が簡単に出来る事により、物置や仮設家屋から
事務所、店舗、住宅などさまざまに利用が可能
【図面の簡単な説明】
【００１４】
【図１】屋根パネルの使用例１
【図２】ハニカムハウスベースハウスの組立図
【図３】ハニカムハウスベースハウスの屋根パネルＡの図
【図４】ハニカムハウス接続用屋根パネルＢの図
【図５】ハニカムハウス接続用屋根パネルＣの図
【図６】屋根パネルの使用例２
【符号の説明】
【００１５】
図１・図７
Ａ      ベースハウス屋根パネルＡ
Ｂ      接続用屋根パネルＢ
Ｃ      接続用屋根パネルＣ
図３
１      壁パネルの外面との接合ライン
２      軒部分
【図１】
2005030112.tif 000003
【図２】
2005030112.tif 000004
【図３】
2005030112.tif 000005
【図４】
2005030112.tif 000006
【図５】
2005030112.tif 000007
【図６】
2005030112.tif 000008